(57)【要約】      （修正有）【課題】閲覧者に、基本閲覧機能を提供する他に、その本の内容を、動態のオーディオビデオ出力に変換でき、視聴する機能を実現できる光学符号化識別フィルムを提供する。。【解決手段】主として、本とフレキシブルな基材からなり、本のフレキシブルな基材は、業者によって決められた範囲に設定され、フレキシブルな基材は、本に応じて、使用形態を変換でき、フレキシブルな基材は、表示セクション２２とオプションセクション２４を含有する。読取り装置３に内蔵された読取りヘッドで、有効にネットポイント２６を判読でき、これにより、閲覧者は、必要に応じて、品目を選択でき、上記のデータは、表示セクション内のネットポイントにより、読取り装置や外部装置を介して、表示され、また、読取り装置に入力されたデータにより、動態やオーディオビデオの出力が実現され、これにより、閲覧者は、同時に、視覚や聴覚に、本を楽しめる。【選択図】図４
0003174949.tif 000002
【実用新案登録請求の範囲】
【請求項１】
フレキシブルな基材からなる本があり、上記フレキシブルな基材に、
少なくとも一つの、複数の関係情報を構成するネットポイントが配置される的表示セクションと、
少なくとも一つの、異なるネットポイント位置が配置されるオプションセクションと、
一端に、情報ネットポイントを読取る読取りヘッドが設けられ、その内部の所定位置に、制御装置が設けられる読取り装置と、
が含まれる、
ことを特徴とする光学符号化識別フィルム。
【請求項２】
上記表示セクションに、上記らのネットポイントが、上記フレキシブルな基材に透過して、正確位置を表示できる座標があることを特徴とする請求項１に記載の光学符号化識別フィルム。
【請求項３】
上記座標に、Ｘ軸とＹ軸があり、上記らのネットポイントが、それに基づいて、上記表示セクションに散在することを特徴とする請求項２に記載の光学符号化識別フィルム。
【請求項４】
上記オプションセクションに、対応するオプションカードがあることを特徴とする請求項１に記載の光学符号化識別フィルム。
【請求項５】
上記オプションセクションに、更に、ページコード表示領域があることを特徴とする請求項１に記載の光学符号化識別フィルム。
【請求項６】
上記オプションセクションに、娯楽品目や教学品目、数字、文字或いは図柄等が含まれることを特徴とする請求項１に記載の光学符号化識別フィルム。
【請求項７】
上記フレキシブルな基材が、透明や不透明の何れかの一つであることを特徴とする請求項１に記載の光学符号化識別フィルム。
【請求項８】
上記の、上記読取り装置内に位置する上記制御装置に、
上記読取り装置内に実装され、データをアクセスするデータ格納チップが内蔵される制御回路ボードと、
上記制御回路ボードに、電気的に接続され、上記読取り装置に実装される選択スイッチと、
上記制御回路ボードに、電気的に接続され、上記読取り装置に実装されるスピーカと、
が含有される、
ことを特徴とする請求項１に記載の光学符号化識別フィルム。
【請求項９】
更に、信号を外部受信機に送信する信号送信機があることを特徴とする請求項８に記載の光学符号化識別フィルム。
【請求項１０】
上記読取りヘッドが、電荷結合素子（Charge
Coupled Device CCD）か相補型金属酸化膜半導体（Complementary
Metal-Oxide Semiconductor CMOS）の何れかの一つであることを特徴とする請求項１に記載の光学符号化識別フィルム。
【請求項１１】
上記制御装置に、更に、上記制御回路ボードに接続され、外部のアクセス装置を接続できるスロットが設置されることを特徴とする請求項１に記載の光学符号化識別フィルム。
【請求項１２】
上記制御装置に、上記アクセス装置が内蔵されることを特徴とする請求項１か１１に記載の光学符号化識別フィルム。
【請求項１３】
上記アクセス装置が、SDカード（Secure Digital Card）やコンパクトフラッシュ（登録商標）（Compact Flash CF）、ハードディスク（Hard Disk HD）或いはユーエスビーメモリの何れかの一つであることを特徴とする請求項１１か１２に記載の光学符号化識別フィルム。
【請求項１４】
上記フレキシブルな基材において、上記本のカバーに、更に、閲覧する本の種類を選択できる表示タッチ領域が設けられることを特徴とする請求項１に記載の光学符号化識別フィルム。
【請求項１５】
上記表示タッチ領域のデータが、上記フレキシブルな基材と上記読取り装置に表示される内容に対応することを特徴とする請求項１に記載の光学符号化識別フィルム。
【考案の詳細な説明】
【技術分野】
【０００１】
本考案は、視聴機能を有する道具に関し、特に、従来の本を読む機能だけでなく、本の内容を、変換して、オーディオビデオにより出力される光学符号化識別フィルムに関する。
【背景技術】
【０００２】
科技の発達とともに、インターネットが、現代人として、不可欠の重要科技になるが、ネットワークは、本を読んで内心を清め、気質を向上、レジャー娯楽、学問を充実できるように、本の重要性を取り代わることができなく、また、市販の本により、閲覧者に対して、静態の文字や図形だけを提供でき、本自身は、その内容を、動態の画像や音声に変換できず、また、一般として、本は、体積が大きく、長期間に放置すると、湿気を帯び、細菌や虫によって破壊されるため、関係業者により、カード式電子辞典が開発され、全ての本データを、メモリカードに格納して、メモリカードを電子辞典に挿設して、関連データをアクセスでき、また、同時に、発音と画像の機能が実現され、しかしながら、このような設備は、価格が高くて、操作が複雑であるため、普及化しにくくなる。
【０００３】
また、本データを光ディスクに格納し、閲覧者が閲覧する時、光ディスクを光ディスクプレーヤーやパソコン或いはノットブックに挿設して、ソフトウェアで、光ディスクデータを読取り、閲覧やオーディオビデオの機能が実現されるが、このような方式は、コンピュータのコストがたかいだけでなく、そのソフトウェアにも、コストが掛かり、また、コンピュータやソフトウェアを操作できる顧客しか適用できず、そのため、操作簡単、普及化及びコストダウン等ができない欠点が残されている。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、本のフレキシブルな基材を業者によって決められた範囲に設定することができ、また、本の種類に応じて、フレキシブルな基材の使用形態を変換でき、そして、フレキシブルな基材に、表示セクションとオプションセクション（例えば、娯楽品目や教学品目、数字、文字或いは図柄）があるため、閲覧者が、必要に応じて、品目を選択でき、また、上記らのデータが、表示セクション内のネットポイントを利用して、読取り装置や外部装置により、閲覧者に提示でき、また、読取り装置に入力されたデータに応じて、動態やオーディオビデオの出力が実現され、閲覧者は、同時に、視覚と聴覚により、本を楽しめる。
【０００６】
本考案の他の目的は、閲覧者に、基本閲覧機能を提供する他に、その本の内容を、動態のオーディオビデオ出力に変換でき、視聴する機能を実現できる光学符号化識別フィルムを提供する。
【０００７】
本考案の更に他の目的は、コストを節約でき、携帯便利性が得られ、また、簡単な操作により、普及化しやすく、そして、教学補助器材として利用できる光学符号化識別フィルムを提供する。
【０００８】
本考案の更に他の目的は、全体としての体積が大幅に縮小され、設置するための空間を節約できる光学符号化識別フィルムを提供する。
【課題を解決するための手段】
【０００９】
請求項１の考案は、フレキシブルな基材からなる本があり、上記フレキシブルな基材に、少なくとも一つの、複数の関係情報を構成するネットポイントが配置される的表示セクションと、少なくとも一つの、異なるネットポイント位置が配置されるオプションセクションと、一端に、情報ネットポイントを読取る読取りヘッドが設けられ、その内部の所定位置に、制御装置が設けられる読取り装置と、が含まれる、ことを特徴とする光学符号化識別フィルムである。
【００１０】
請求項２の考案は、上記表示セクションに、上記らのネットポイントが、上記フレキシブルな基材に透過して、正確位置を表示できる座標があることを特徴とする請求項１に記載の光学符号化識別フィルムである。
【００１１】
請求項３の考案は、上記座標に、Ｘ軸とＹ軸があり、上記らのネットポイントが、それに基づいて、上記表示セクションに散在することを特徴とする請求項２に記載の光学符号化識別フィルムである。
【００１２】
請求項４の考案は、上記オプションセクションに、対応するオプションカードがあることを特徴とする請求項１に記載の光学符号化識別フィルムである。
【００１３】
請求項５の考案は、上記オプションセクションに、更に、ページコード表示領域があることを特徴とする請求項１に記載の光学符号化識別フィルムである。
【００１４】
請求項６の考案は、上記オプションセクションに、娯楽品目や教学品目、数字、文字或いは図柄等が含まれることを特徴とする請求項１に記載の光学符号化識別フィルムである。
【００１５】
請求項７の考案は、上記フレキシブルな基材が、透明や不透明の何れかの一つであることを特徴とする請求項１に記載の光学符号化識別フィルムである。
【００１６】
請求項８の考案は、上記の、上記読取り装置内に位置する上記制御装置に、上記読取り装置内に実装され、データをアクセスするデータ格納チップが内蔵される制御回路ボードと、上記制御回路ボードに、電気的に接続され、上記読取り装置に実装される選択スイッチと、上記制御回路ボードに、電気的に接続され、上記読取り装置に実装されるスピーカと、が含有される、ことを特徴とする請求項１に記載の光学符号化識別フィルムである。
【００１７】
請求項９の考案は、更に、信号を外部受信機に送信する信号送信機があることを特徴とする請求項８に記載の光学符号化識別フィルムである。
【００１８】
請求項１０の考案は、上記読取りヘッドが、電荷結合素子（Charge
Coupled Device CCD）か相補型金属酸化膜半導体（Complementary
Metal-Oxide Semiconductor CMOS）の何れかの一つであることを特徴とする請求項１に記載の光学符号化識別フィルムである。
【００１９】
請求項１１の考案は、上記制御装置に、更に、上記制御回路ボードに接続され、外部のアクセス装置を接続できるスロットが設置されることを特徴とする請求項１に記載の光学符号化識別フィルムである。
【００２０】
請求項１２の考案は、上記制御装置に、上記アクセス装置が内蔵されることを特徴とする請求項１か１１に記載の光学符号化識別フィルムである。
【００２１】
請求項１３の考案は、上記アクセス装置が、SDカード（Secure Digital Card）やコンパクトフラッシュ（登録商標）（Compact Flash CF）、ハードディスク（Hard Disk HD）或いはユーエスビーメモリの何れかの一つであることを特徴とする請求項１１か１２に記載の光学符号化識別フィルムである。
【００２２】
請求項１４の考案は、上記フレキシブルな基材において、上記本のカバーに、更に、閲覧する本の種類を選択できる表示タッチ領域が設けられることを特徴とする請求項１に記載の光学符号化識別フィルムである。
【００２３】
請求項１５の考案は、上記表示タッチ領域のデータが、上記フレキシブルな基材と上記読取り装置に表示される内容に対応することを特徴とする請求項１に記載の光学符号化識別フィルムである。
【００２４】
以下、図面を参照しながら、本考案の特徴や技術内容について、詳しく説明するが、それらの図面等は、参考や説明のためであり、本考案は、それによって制限されることが無い。
【考案を実施するための形態】
【００２５】
図１と図２を参照しながら、本考案は、本１とフレキシブルな基材２（例えば、透明や不透明）からなり、本１に設置されたフレキシブルな基材２は、業者によって決められた範囲に設定することができ、また、フレキシブルな基材２は、本１の種類に応じて、使用形態を変換でき、そして、フレキシブルな基材２に、表示セクション２２とオプションセクション２４（例えば、娯楽品目や教学品目、数字、文字或いは図柄）があるため、閲覧者が、必要に応じて、両セクションのネットポイントを利用して、読取り装置３で、品目を選択でき、上記らのデータが、表示セクション２２内のネットポイント２６を利用して、表示され、また、表示セクション２２に、散在するように、Ｘ軸とＹ軸の座標２８があり、ネットポイント２６の正確位置を表示できる。
【００２６】
本１に、フレキシブルな基材２をセットする時、まず、フレキシブルな基材２を本１のカバーに設置し、フレキシブルな基材２が設置された後、両カバーの内側に、オプションセクション２４が表示され、オプションセクション２４に、それぞれ、娯楽品目や教学品目、数字、文字或いは図柄等の異なる選択肢が表示され、また、オプションセクション２４から、それぞれ、外側へ、複数の上記データベースから読取れるデータを表示でき、各種類の関係情報を構成するネットポイントの表示セクション２２が伸びる。
【００２７】
読取り装置３は、読取りヘッド３０と制御装置３２から構成され、制御装置３２は、制御回路ボード３２０や選択スイッチ３２２及びスピーカ３２４が含有され、読取り装置３にある読取りヘッド３０（例えば、ＣＣＤやＣＭＯＳ）を利用して、有効に座標２８のネットポイント２６を判読でき、また、読取り装置３に内蔵された制御回路ボード３２０のデータ格納チップ３２６から出力されたデータを利用して、表示セクション２２に対応する動態やオーディオビデオ情報を出力でき、また、スピーカ３２４と制御回路ボード３２０とを電気的に接続しているため、上記らの動態やオーディオビデオ情報が放送されることができ、また、制御装置３２は、信号送信機３２９が内蔵されて、信号を、外部受信機５の信号送信機３２９へ伝送することにより、画像や音声を、外部受信機５により放送することができ、また、選択スイッチ３２２で、表示セクション２２のオプションを選択でき、表示セクション２２に表示されたデータを同期に処理することができる。
【００２８】
また、制御回路ボード３２０は、更に、スロット３２８が設置され、上記スロット３２８により、外部からアクセス装置４を接続することができ、閲覧者は、対応するアクセス装置４、SDカード（Secure Digital Card）やコンパクトフラッシュ（登録商標）（Compact Flash CF）、ハードディスク（Hard Disk HD）或いはユーエスビーメモリを購入して、格納できるデータスペースを拡張でき、より多いデータが格納される。
【００２９】
本考案によれば、図２乃至図５を参照しながら、まず、フレキシブルな基材２を本１に設置し、フレキシブルな基材２は、本１の外観に対応して、任意に設置でき、本１のカバーに、閲覧する本の種類を選択できる表示タッチ領域２１があり、読取り装置３で、表示タッチ領域２１に表示された内容ネットポイントを読取ることができ、また、フレキシブルな基材１２に、表示セクション２２とオプションセクション２４があり、オプションセクション２４は、娯楽品目や教学品目、数字、文字或いは図柄等の異なる選択肢を表示できるだけでなく、同時に、閲覧者により、異なるページコードを選択できるページコード表示領域２４０があり、閲覧者が、表示タッチ領域２１で、閲覧する内容を確認した後、ページコード表示領域２４０で、読取るページ数を選択でき、これにより、表示セクション２２が、上記ページ数に対応するようになる。
【００３０】
また、閲覧者は、読取り装置３で、必要とする情報に応じて、オプションセクション２４を利用して関連品目を選択でき、上記らのデータは、読取り装置３に内蔵された読取りヘッド３０（例えば、ＣＣＤやＣＭＯＳ）によって、有効に、座標２８上のネットポイント２６が判読され、この時、データ格納チップ３２６内のデータに対比して、制御回路ボード３２０によって演算され、スピーカ３２４から、読取ったデータを放送し、これにより、動態やオーディオビデオを出力でき、閲覧者は、同時に、視覚や聴覚によって本を楽しめることができ、また、制御装置３２は、更に、信号送信機３２９が含有され、信号を外部受信機５の信号送信機３２９へ伝送することにより、画像や音声が、外部受信機５によって放送されることができる。
【００３１】
また、閲覧者は、同時にオプションカード６を利用でき、上記オプションカード６の内容が、オプションセクション２４に対応するため、閲覧者が、オプションカード６を利用して、必要とする品目を選択でき、本を開かなくても同じ効果が実現される。
【００３２】
図６と図７において、一枚式フレキシブルな基材２ａを例とし、ユーザーも、オプションカード６ａを利用して選択でき、閲覧者は、フレキシブルな基材２ａを本１ａの閲覧使用とするページ数にセットし、また、フレキシブルな基材２ａのページコード表示領域２４０ａから対応するページ数を選択すると、この時、表示セクション２２ａ内のネットポイント２６ａは、Ｘ軸とＹ軸を有する座標２８ａに表示され、同時に、閲覧者の目の前に表示され、選択された後、表示されたネットポイント２６ａが、同期に表示セクション２２ａに表示され、この時、読取り装置３ａに内蔵された読取りヘッド３０ａ（例えば、ＣＣＤやＣＭＯＳ）により、有効的に座標２８ａとオプションカード６ａのネットポイント２６ａが判読され、この時、データ格納チップ３２６ａ内のデータと、対比してから、制御回路ボード３２０ａによって演算された後、スピーカ３２４ａから、読取ったデータを放送でき、これにより、動態やオーディオビデオを出力でき、閲覧者は、同時に、視覚や聴覚により、本を楽しめる。
【００３３】
制御装置３２ａに、データを格納するアクセス装置４ａが内蔵されるため、閲覧者は、直接に、読取り装置３ａで、データをアクセスすることができる。
【００３４】
そのため、本考案は、より進歩的かつより実用的で、法に従って実用新案登録請求を出願する。
【００３５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３６】
【図１】本考案の立体概念図
【図２】本考案のフレキシブルな基材を本にセットする時の概念図
【図３】本考案の本にあるフレキシブルな基材に情報が表示される時の使用状態概念図一
【図４】本考案の本にあるフレキシブルな基材に情報が表示される時の使用状態概念図二
【図５】本考案の本にあるフレキシブルな基材に情報が表示される時の使用状態概念図三
【図６】本考案の本に一枚式フレキシブルな基材をセットする時の他の使用状態概念図一
【図７】本考案の本に一枚式フレキシブルな基材をセットする時の他の使用状態概念図二
【符号の説明】
【００３７】
１、１ａ  本
２、２ａ  フレキシブルな基材
２０  データベース
２１  表示タッチ領域
２２、２２ａ  表示セクション
２４  オプションセクション
２４０、２４０ａ  ページコード表示領域
２６、２６ａ  ネットポイント
２８、２８ａ  座標
３、３ａ  読取り装置
３０、３０ａ  読取りヘッド
３２、３２ａ  制御装置
３２０、３２０ａ  制御回路ボード
３２２、３２２ａ  選択スイッチ
３２４、３２４ａ  スピーカ
３２６、３２６ａ  データ格納チップ
３２８  スロット
３２９  信号送信機
４、４ａ  アクセス装置
５  外部受信機
６、６ａ  オプションカード
【図１】
0003174949.tif 000003
【図２】
0003174949.tif 000004
【図３】
0003174949.tif 000005
【図４】
0003174949.tif 000006
【図５】
0003174949.tif 000007
【図６】
0003174949.tif 000008
【図７】
0003174949.tif 000009
【手続補正書】
【提出日】平成22年9月28日(2010.9.28)
【手続補正１】
【補正対象書類名】実用新案登録請求の範囲
【補正対象項目名】請求項１
【補正方法】変更
【補正の内容】
【請求項１】
本の所望箇所に少なくとも一つの、複数の関係情報を構成するネットポイントが配置される的表示セクションと、少なくとも一つの、異なるネットポイント位置が配置されるオプションセクションとが含まれるフレキシブルな基材を配設し、該基材面から、
一端に、情報ネットポイントを読取る読取りヘッドが設けられ、その内部の所定位置に、制御装置が設けられる読取り装置を以て本の所望箇所を読み取って該本の所望箇所を格納した
ことを特徴とする光学符号化識別フィルム。
【手続補正２】
【補正対象書類名】実用新案登録請求の範囲
【補正対象項目名】請求項２
【補正方法】変更
【補正の内容】
【請求項２】
上記表示セクションに、上記らのネットポイントが、上記フレキシブルな基材に透過して、正確位置の座標を表示できる領域があることを特徴とする請求項１に記載の光学符号化識別フィルム。
【手続補正３】
【補正対象書類名】実用新案登録請求の範囲
【補正対象項目名】請求項３
【補正方法】変更
【補正の内容】
【請求項３】
上記座標に、Ｘ軸とＹ軸があり、上記らのネットポイントが、それに基づいて、上記表示セクションに表示されることを特徴とする請求項２に記載の光学符号化識別フィルム。
【手続補正４】
【補正対象書類名】実用新案登録請求の範囲
【補正対象項目名】請求項６
【補正方法】変更
【補正の内容】
【請求項６】
上記オプションセクションに、娯楽品目や教学品目、数字、文字或いは図柄が含まれることを特徴とする請求項１に記載の光学符号化識別フィルム。
【手続補正５】
【補正対象書類名】明細書
【補正対象項目名】０００９
【補正方法】変更
【補正の内容】
【０００９】
請求項１の考案は、  少なくとも一つの、複数の関係情報を構成するネットポイントが配置される的表示セクションと、少なくとも一つの、異なるネットポイント位置が配置されるオプションセクションとが含まれるフレキシブルな基材からなる本と、一端に、情報ネットポイントを読取る読取りヘッドが設けられ、その内部の所定位置に、制御装置が設けられる読取り装置と、が含まれることを特徴とする光学符号化識別フィルムである。
【手続補正６】
【補正対象書類名】明細書
【補正対象項目名】００１４
【補正方法】変更
【補正の内容】
【００１４】
請求項６の考案は、上記オプションセクションに、娯楽品目や教学品目、数字、文字或いは図柄が含まれることを特徴とする請求項１に記載の光学符号化識別フィルムである。
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
本の所望箇所を覆うことができるフレキシブルな基材に、
少なくとも一つの、複数の関係情報を構成するネットポイントが配置される的表示セクションと、
少なくとも一つの、異なるネットポイント位置が配置されるオプションセクションと、
一端に、情報ネットポイントを読取る読取りヘッドが設けられることを特徴とする光学符号化識別フィルム。
【請求項２】
上記表示セクションに、上記らのネットポイントが、上記フレキシブルな基材に透過して、正確位置を表示できる座標があることを特徴とする請求項１に記載の光学符号化識別フィルム。
【請求項３】
上記座標に、Ｘ軸とＹ軸があり、上記らのネットポイントが、それに基づいて、上記表示セクションに散在することを特徴とする請求項２に記載の光学符号化識別フィルム。
【請求項４】
上記オプションセクションに、対応するオプションカードがあることを特徴とする請求項１に記載の光学符号化識別フィルム。
【請求項５】
上記オプションセクションに、更に、ページコード表示領域があることを特徴とする請求項１に記載の光学符号化識別フィルム。
【請求項６】
上記オプションセクションに、娯楽品目や教学品目、数字、文字或いは図柄の読み取りができる箇所が含まれることを特徴とする請求項１に記載の光学符号化識別フィルム。
【請求項７】
上記フレキシブルな基材が、透明や不透明の何れかの一つであることを特徴とする請求項１に記載の光学符号化識別フィルム。
【手続補正書】
【提出日】平成23年11月1日(2011.11.1)
【手続補正１】
【補正対象書類名】実用新案登録請求の範囲
【補正対象項目名】全文
【補正方法】変更
【補正の内容】
【実用新案登録請求の範囲】
【請求項１】
本に記載された所望の部分を光学符号化識別フィルムを使って、読取装置に読み取り操作を行うに当たって、本の該部分に配設して使用する光学符号化識別フィルムを、フレキシブルな基材から成り、所望の大きさ、形状から成るものであって、少なくとも一つの複数の関係情報を構成するネットポイントが配される表示セクションを設けることもあり、また、少なくとも一つの異なるネットポイント位置が配設されるオプションセクションを設けることもあり、また、区分けした箇所を設けることもあり、さらに、該表示セクションにはＸ軸とＹ軸が表示されているものとして構成したことを特徴とする光学符号化識別フィルム。
【請求項２】
上記表示セクションに、上記らのネットポイントが、上記フレキシブルな基材に透過して、正確位置を表示できる座標があることを特徴とする請求項１に記載の光学符号化識別フィルム。
【請求項３】
上記座標に、Ｘ軸とＹ軸があり、上記らのネットポイントが、それに基づいて、上記表示セクションに散在することを特徴とする請求項２に記載の光学符号化識別フィルム。
【請求項４】
上記オプションセクションに、対応するオプションカードがあることを特徴とする請求項１に記載の光学符号化識別フィルム。
【請求項５】
上記オプションセクションに、更に、ページコード表示領域があることを特徴とする請求項１に記載の光学符号化識別フィルム。
【請求項６】
上記オプションセクションに、娯楽品目や教学品目、数字、文字或いは図柄等が含まれることを特徴とする請求項１に記載の光学符号化識別フィルム。
【請求項７】
上記フレキシブルな基材が、透明や不透明の何れかの一つであることを特徴とする請求項１に記載の光学符号化識別フィルム。
【請求項８】
上記フレキシブルな基材において、上記本のカバーに、更に、閲覧する本の種類を選択できる表示タッチ領域が設けられることを特徴とする請求項１に記載の光学符号化識別フィルム。
【請求項９】
上記表示タッチ領域のデータが、上記フレキシブルな基材と上記読取り装置に表示される内容に対応することを特徴とする請求項１に記載の光学符号化識別フィルム。
【請求項１０】
請求項１に記載した光学符号化識別フィルムは、本に記載された所望部分を読み取る装置を、上記読取り装置内に実装され、データをアクセスするデータ格納チップが内蔵される制御回路ボードと、
上記制御回路ボードに、電気的に接続され、上記読取り装置に実装される選択スイッチと、
上記制御回路ボードに、電気的に接続され、上記読取り装置に実装されるスピーカと、
が接続されて成る読み取り装置を使用することができる構成とされたことを特徴とする光学符号化識別フィルム。
【請求項１１】
上記読み取り装置には、更に、信号を外部受信機に送信する信号送信機があるものとして成る読み取り装置を使用することができる構成とされたことを特徴とする請求項１から１０に記載の光学符号化識別フィルム。
【請求項１２】
上記読み取り装置のヘッドが、電荷結合素子か相補型金属酸化膜半導体の何れかの一つから成るものを使用することができる構成とされたことを特徴とする請求項１から１０に記載の光学符号化識別フィルム。
【請求項１３】
上記した読み取り装置内に完装した制御装置は、更に、上記制御回路ボードに接続され、外部のアクセス装置を接続できるスロットが設置されたものを使用することができる構成とされたことを特徴とする請求項１から１０に記載の光学符号化識別フィルム。
【請求項１４】
上記した読み取り装置内に完装した制御装置は、上記アクセス装置が内蔵されたものを使用する構成とされたことを特徴とする請求項１０に記載の光学符号化識別フィルム。
【請求項１５】
上記アクセス装置が、SDカードやコンパクトフラッシュ（登録商標）、ハードディスク或いはユーエスビーメモリの何れかの一つを配して成るものを使用する構成とされたものであることを特徴とする請求項１から１０に記載の光学符号化識別フィルム。
【手続補正書】
【提出日】平成24年2月14日(2012.2.14)
【手続補正１】
【補正対象書類名】実用新案登録請求の範囲
【補正対象項目名】全文
【補正方法】変更
【補正の内容】
【実用新案登録請求の範囲】
【請求項１】
本に記載されたデータを読み取る装置を使って読み取るときに使う光学符号化識別フィルムをフレキシブルな基材からフィルムとし、上記フレキシブルな基材から成るフィルムに、
少なくとも一つの、複数の関係情報を構成するネットポイントが配置される的表示セクションと、
少なくとも一つの、異なるネットポイント位置が配置されるオプションセクションと、
が配置されることを特徴とする光学符号化識別フィルム。
【請求項２】
上記表示セクションに、上記本に記載されたデータを読み取る装置のネットポイントが、上記フレキシブルな基材であるフィルムを透過して、正確位置を表示できる座標があることを特徴とする請求項１に記載の光学符号化識別フィルム。
【請求項３】
上記座標に、Ｘ軸とＹ軸があり、上記のネットポイントが、Ｘ軸とＹ軸に基づいて、上記表示セクションに本のデータから所望のデータを読み取ることができる構成としたことを特徴とする請求項２に記載の光学符号化識別フィルム。
【請求項４】
上記オプションセクションに、対応する個所をオプションカードとすることができる構成としたことを特徴とする請求項１に記載の光学符号化識別フィルム。
【請求項５】
上記オプションセクションに、更に、ページコード表示領域があることを特徴とする請求項１に記載の光学符号化識別フィルム。
【請求項６】
上記オプションセクションに、娯楽品目や教学品目、数字、文字或いは図柄等を読み取ることができる領域が含まれることを特徴とする請求項１に記載の光学符号化識別フィルム。
【請求項７】
上記フレキシブルな基材が、透明か或いは不透明の何れかの所望の一つとすることを特徴とする請求項１に記載の光学符号化識別フィルム。
【手続補正２】
【補正対象書類名】明細書
【補正対象項目名】０００９
【補正方法】変更
【補正の内容】
【０００９】
請求項１の考案は、本に記載されたデータを読み取る装置を使って読み取るときに使う光学符号化識別フィルムをフレキシブルな基材からフィルムとし、上記フレキシブルな基材から成るフィルムに、少なくとも一つの、複数の関係情報を構成するネットポイントが配置される的表示セクションと、少なくとも一つの、異なるネットポイント位置が配置されるオプションセクションと、が配置されることを特徴とする光学符号化識別フィルムとし、
【手続補正３】
【補正対象書類名】明細書
【補正対象項目名】００１０
【補正方法】変更
【補正の内容】
【００１０】
請求項２の考案は、上記表示セクションに、上記本に記載されたデータを読み取る装置のネットポイントが、上記フレキシブルな基材であるフィルムを透過して、正確位置を表示できる座標があることを特徴とする請求項１に記載の光学符号化識別フィルムとし、
【手続補正４】
【補正対象書類名】明細書
【補正対象項目名】００１１
【補正方法】変更
【補正の内容】
【００１１】
請求項３の考案は、上記座標に、Ｘ軸とＹ軸があり、上記のネットポイントが、Ｘ軸とＹ軸に基づいて、上記表示セクションに本のデータから所望のデータを読み取ることができる構成としたことを特徴とする請求項２に記載の光学符号化識別フィルムとし、
【手続補正５】
【補正対象書類名】明細書
【補正対象項目名】００１２
【補正方法】変更
【補正の内容】
【００１２】
請求項４の考案は、上記オプションセクションに、対応する個所をオプションカードとすることができる構成としたことを特徴とする請求項１に記載の光学符号化識別フィルムとし、
【手続補正６】
【補正対象書類名】明細書
【補正対象項目名】００１３
【補正方法】変更
【補正の内容】
【００１３】
請求項５の考案は、上記オプションセクションに、更に、ページコード表示領域があることを特徴とする請求項１に記載の光学符号化識別フィルムとし、
【手続補正７】
【補正対象書類名】明細書
【補正対象項目名】００１４
【補正方法】変更
【補正の内容】
【００１４】
請求項６の考案は、上記オプションセクションに、娯楽品目や教学品目、数字、文字或いは図柄等を読み取ることができる領域が含まれることを特徴とする請求項１に記載の光学符号化識別フィルムとし、
【手続補正８】
【補正対象書類名】明細書
【補正対象項目名】００１５
【補正方法】変更
【補正の内容】
【００１５】
請求項７の考案は、上記フレキシブルな基材が、透明か或いは不透明の何れかの所望の一つとすることを特徴とする請求項１に記載の光学符号化識別フィルムとし、
【手続補正９】
【補正対象書類名】明細書
【補正対象項目名】００１６
【補正方法】変更
【補正の内容】
【００１６】
上記の、上記読取り装置内に位置する上記制御装置には、上記読取り装置内に実装され、データをアクセスするデータ格納チップが内蔵される制御回路ボードと、上記制御回路ボードに、電気的に接続され、上記読取り装置に実装される選択スイッチと、上記制御回路ボードに、電気的に接続され、上記読取り装置に実装されるスピーカとが含有される。
【手続補正１０】
【補正対象書類名】明細書
【補正対象項目名】００１７
【補正方法】変更
【補正の内容】
【００１７】
更に、上記の読み取る装置は、信号を外部受信機に送信する信号送信機が内装されている。
【手続補正１１】
【補正対象書類名】明細書
【補正対象項目名】００１８
【補正方法】変更
【補正の内容】
【００１８】
上記読み取り装置に配設された読取りヘッドが、電荷結合素子（ChargeCoupled Device CCD）か相補型金属酸化膜半導体（Complementary Metal-Oxide Semiconductor CMOS）の何れかの一つであることである。
【手続補正１２】
【補正対象書類名】明細書
【補正対象項目名】００１９
【補正方法】変更
【補正の内容】
【００１９】
上記読み取り装置に付設された制御装置には、更に、上記制御回路ボードに接続され、外部のアクセス装置を接続できるスロットが設置される構成とされている。
【手続補正１３】
【補正対象書類名】明細書
【補正対象項目名】００２０
【補正方法】変更
【補正の内容】
【００２０】
上記制御装置に、上記アクセス装置が内蔵される。
【手続補正１４】
【補正対象書類名】明細書
【補正対象項目名】００２１
【補正方法】変更
【補正の内容】
【００２１】
上記アクセス装置が、SDカード（Secure Digital Card）やコンパクトフラッシュ（登録商標）（Compact Flash（登録商標） CF）、ハードディスク（Hard Disk HD）或いはユーエスビーメモリの何れかの一つを使用している。
【手続補正１５】
【補正対象書類名】明細書
【補正対象項目名】００２２
【補正方法】変更
【補正の内容】
【００２２】
上記フレキシブルな基材において、上記本のカバーに、更に、閲覧する本の種類を選択できる表示タッチ領域が設けられる。
【手続補正１６】
【補正対象書類名】明細書
【補正対象項目名】００２３
【補正方法】変更
【補正の内容】
【００２３】
上記表示タッチ領域のデータが、上記フレキシブルな基材と上記読取り装置に表示される内容に対応するようにされている。